(57)【要約】【課題】車両が施設から退場したことを正確に判断できる入退場管理装置を提供すること。【解決手段】入退場管理装置は、車両に関する作業を行う施設における入退場を管理する。施設は進捗情報を記録する進捗記録ユニットを備える。入退場管理装置は、車両情報取得ユニットと、進捗情報取得ユニットと、退場判断ユニットとを備える。車両情報取得ユニットは、車両の識別情報及び車両の進行方向を取得する。進捗情報取得ユニットは、識別情報に対応する車両の進捗情報を、進捗記録ユニットから取得する。退場判断ユニットは、以下の第１条件及び第２条件が充足されることを必要条件として、車両は施設から退場したと判断する。第１条件：進行方向は、施設から退場する方向である。第２条件：進捗情報は、作業が終了済みであることを表す情報である。【選択図】図１
2020016991.tif 000002
【特許請求の範囲】
【請求項１】
車両に関する作業を行う施設における入退場を管理する入退場管理装置であって、
前記施設は、前記作業の進捗状況を表す進捗情報を記録するように構成された進捗記録ユニットを備え、
前記入退場管理装置は、
センサを用いて、前記施設の出入口を通過する車両の識別情報、及び、前記車両の進行方向を取得するように構成された車両情報取得ユニットと、
前記車両情報取得ユニットが取得した前記識別情報に対応する車両の前記進捗情報を、前記進捗記録ユニットから取得するように構成された進捗情報取得ユニットと、
以下の第１条件及び第２条件が充足されることを必要条件として、前記出入口を通過した車両は前記施設から退場したと判断する退場判断ユニットと、
を備える入退場管理装置。
第１条件：前記車両情報取得ユニットが取得した前記進行方向は、前記施設から退場する方向である。
第２条件：前記進捗情報取得ユニットが取得した前記進捗情報は、前記作業が終了済みであることを表す情報である。
【請求項２】
請求項１に記載の入退場管理装置であって、
前記施設に滞在中の車両に関する情報を表示するように構成された情報表示ユニットをさらに備え、
前記退場判断ユニットは、前記情報表示ユニットが表示する情報のうち、前記施設から退場した車両に関する情報を削除するように構成された入退場管理装置。
【請求項３】
請求項１又は２に記載の入退場管理装置であって、
前記車両が前記施設に入場してから、前記施設から退場したと前記退場判断ユニットが判断するまでに、前記車両に対して行われた作業の経過を記録した実績データを作成するように構成された実績データ作成ユニットをさらに備える入退場管理装置。
【請求項４】
請求項１〜３のいずれか１項に記載の入退場管理装置であって、
前記車両情報取得ユニットは、カメラ画像を用いて前記識別情報及び前記進行方向を取得するように構成された入退場管理装置。
【発明の詳細な説明】
【技術分野】
【０００１】
本開示は入退場管理装置に関する。
【背景技術】
【０００２】
特許文献１には、店舗支援システムが開示されている。店舗支援システムは、入口から店舗に入場した車両を、カメラを用いて撮影する。店舗支援システムは、カメラの画像に基づいて車両の車番を認識する。店舗支援システムは、認識した車番を顧客情報管理データベースと照合し、車両に乗車した顧客に関する情報を取得する。店舗支援システムは、取得した情報を店員に通知する。
【先行技術文献】
【特許文献】
【０００３】
【特許文献１】特開２０１５−１７６３２５号公報
【発明の概要】
【発明が解決しようとする課題】
【０００４】
顧客への対応を適切に行うためには、顧客の車両が店舗から退場したことを正確に把握する必要がある。店舗の従業員が車両の退場を手動で記録する場合、記録漏れが生じることがある。
【０００５】
また、車両が店舗の出入口から出たことをセンサにより検出すれば、車両が退場したと判断するシステムを用いることが考えられる。しかしながら、このシステムは、車両が一時的に店舗の外に移動した場合にも、その車両が退場したと誤判断してしまう。
【０００６】
本開示は、車両が施設から退場したことを正確に判断できる入退場管理装置を提供することを目的とする。
【課題を解決するための手段】
【０００７】
本開示の一局面は、車両に関する作業を行う施設における入退場を管理する入退場管理装置であって、前記施設は、前記作業の進捗状況を表す進捗情報を記録するように構成された進捗記録ユニットを備え、前記入退場管理装置は、センサを用いて、前記施設の出入口を通過する車両の識別情報、及び、前記車両の進行方向を取得するように構成された車両情報取得ユニットと、前記車両情報取得ユニットが取得した前記識別情報に対応する車両の前記進捗情報を、前記進捗記録ユニットから取得するように構成された進捗情報取得ユニットと、以下の第１条件及び第２条件が充足されることを必要条件として、前記出入口を通過した車両は前記施設から退場したと判断する退場判断ユニットと、を備える入退場管理装置である。
【０００８】
第１条件：前記車両情報取得ユニットが取得した前記進行方向は、前記施設から退場する方向である。
第２条件：前記進捗情報取得ユニットが取得した前記進捗情報は、前記作業が終了済みであることを表す情報である。
【０００９】
本開示の一局面である入退場管理装置は、車両が施設から退場したことを判断することができる。そのため、車両が施設から退場したか否かを施設の従業員等が判断しなくてもよい。
【００１０】
また、本開示の一局面である入退場管理装置は、出入口を通過した車両に対応する進捗情報の内容が作業終了済みであることを必要条件として、その車両は施設から退場したと判断する。そのため、車両が真の退場ではない挙動をした場合に、その車両が退場したと誤判断してしまうことを抑制できる。
【図面の簡単な説明】
【００１１】
【図１】入退場管理装置１の構成を表すブロック図である。
【図２】第１装置３の機能的構成を表すブロック図である。
【図３】制御部２１の機能的構成を表すブロック図である。
【図４】表示装置７に表示された滞在中リスト４１の例を表す説明図である。
【図５】入退場管理装置１が実行する入退場管理処理を表すフローチャートである。
【図６】店舗から退場した車両の行を削除した後の滞在中リスト４１の例を表す説明図である。
【発明を実施するための形態】
【００１２】
本開示の例示的な実施形態について図面に基づき説明する。
＜第１実施形態＞
１．入退場管理装置１の構成
入退場管理装置１の構成を、図１〜図４に基づき説明する。入退場管理装置１は、車両の点検、修理等を行う店舗で使用される。車両の点検、修理は、車両に関する作業に対応する。店舗は、車両に関する作業を行う施設に対応する。入退場管理装置１は、店舗における車両の入退場を管理する。
【００１３】
図１に示すように、入退場管理装置１は、第１装置３、第２装置５、表示装置７、及び入力装置９を備える。第１装置３は、ＣＰＵ１１と、例えば、ＲＡＭ又はＲＯＭ等の半導体メモリ（以下、メモリ１３とする）と、を有するマイクロコンピュータを備える。第１装置３の各機能は、ＣＰＵ１１が非遷移的実体的記録媒体に格納されたプログラムを実行することにより実現される。この例では、メモリ１３が、プログラムを格納した非遷移的実体的記録媒体に該当する。また、このプログラムが実行されることで、プログラムに対応する方法が実行される。なお、第１装置３は、１つのマイクロコンピュータを備えてもよいし、複数のマイクロコンピュータを備えてもよい。
【００１４】
第１装置３は、図２に示すように、車両情報取得ユニット１５と、通信ユニット１７と、を備える。第１装置３に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１５】
第１装置３はカメラ１９に接続されている。カメラ１９は、店舗の出入口を撮影し、動画データを第１装置３に送る。カメラ１９はセンサに対応する。動画データはカメラ画像に対応する。
【００１６】
第２装置５は、制御部２１と、来店管理データベース２３とを備える。制御部２１は、ＣＰＵ２５と、例えば、ＲＡＭ又はＲＯＭ等の半導体メモリ（以下、メモリ２７とする）と、を有するマイクロコンピュータを備える。制御部２１の各機能は、ＣＰＵ２５が非遷移的実体的記録媒体に格納されたプログラムを実行することにより実現される。この例では、メモリ２７が、プログラムを格納した非遷移的実体的記録媒体に該当する。また、このプログラムが実行されることで、プログラムに対応する方法が実行される。なお、制御部２１は、１つのマイクロコンピュータを備えてもよいし、複数のマイクロコンピュータを備えてもよい。
【００１７】
制御部２１は、図３に示すように、進捗情報取得ユニット２９と、退場判断ユニット３１と、入場判断ユニット３３と、情報表示ユニット３５と、実績データ作成ユニット３７と、通信ユニット３９と、を備える。
【００１８】
制御部２１に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１９】
来店管理データベース２３は、滞在中リストを記憶している。滞在中リストとは、店舗に滞在中である車両に関する情報を含むリストである。店舗に滞在中である車両とは、店舗へ入場したと判断された車両であって、店舗から退場したと未だ判断されていない車両である。
【００２０】
図４に、滞在中リスト４１の例を示す。滞在中リスト４１における各行は、それぞれ、店舗に滞在中である１台の車両の情報を表す。「来店」の列は、車両が店舗に入場した時刻を表す。「お客様名」の列は、店舗に滞在中である車両に対応する顧客を表す。「担当」の列は、店舗に滞在中である車両を担当する、店舗の従業員を表す。「来店目的」の列は、店舗に滞在中である車両が店舗に来た目的を表す。「予約時刻」は、店舗に入場する予約時刻を表す。「予約・予定」の列は、予約していた作業を表す。「経過／目標」の列は、作業を開始した時刻からの経過時間と、作業の所要時間についての目標を表す。「車名」の列は、店舗に滞在中である車両の車名を表す。「車番」の列は、店舗に滞在中である車両のナンバープレートの数字を表す。コーヒーカップの絵が表示された列は、店舗に滞在中である車両に対応する顧客への飲み物の提供に関する情報を表す。「座席」の列は、店舗に滞在中である車両に対応する顧客に割り当てられた座席を表す。
【００２１】
図１に示すように、第２装置５は、基幹システムサーバ４３に接続されている。基幹システムサーバ４３は、顧客管理データベース４５と、作業工程管理データベース４７とを備えている。顧客管理データベース４５は、顧客と、その顧客に対応する車両のナンバープレートの数字とを関連付けて記憶している。
【００２２】
作業工程管理データベース４７は、顧客と、その顧客に対応する車両の進捗情報とを関連付けて記憶している。進捗情報とは、作業の進捗状況を表す情報である。作業の進捗状況として、例えば、未だ作業を開始していない状況、作業中である状況、作業が終了済みである状況等が挙げられる。
【００２３】
作業として、例えば、車両の試乗、車両の価格の査定、車両の販売促進のための説明、車両の整備、車両の点検、物品の販売、物品の納入等が挙げられる。基幹システムサーバ４３は進捗記録ユニットに対応する。
【００２４】
基幹システムサーバ４３は、入力装置４９と接続する。入力装置４９は、店舗の従業員の入力操作を受け付ける。入力装置４９への入力操作により、作業工程管理データベース４７は随時更新される。例えば、任意の車両に関する作業の進捗状況が、作業中から、終了済みに変化した場合、店舗の従業員は、入力装置４９に入力操作を行うことで、該当する車両の進捗情報を、作業中を表す進捗情報から、終了済みを表す進捗情報に更新する。
【００２５】
表示装置７及び入力装置９は、第２装置５に接続している。図４に示すように、表示装置７は、滞在中リスト４１を表示することができる。
入力装置９は、例えば、店舗の従業員の入力操作を受け付ける。入力装置９への入力操作により、表示装置７での滞在中リスト４１の表示が開始されたり、終了したりする。また、入力装置９への入力操作により、滞在中リスト４１の内容が更新される。
【００２６】
２．入退場管理装置１が実行する入退場管理処理
入退場管理装置１が実行する入退場管理処理を、図５〜図６に基づき説明する。図５のステップ１では、車両情報取得ユニット１５が、カメラ１９から動画データを取得する。
【００２７】
ステップ２では、前記ステップ１で取得した動画データに基づき、店舗の出入口を通過する車両（以下では通過車両とする）があるか否かを車両情報取得ユニット１５が判断する。通過車両があると判断した場合、本処理はステップ３に進む。通過車両がないと判断した場合、本処理はステップ１に戻る。
【００２８】
ステップ３では、車両情報取得ユニット１５が、前記ステップ１で取得した動画データに基づき、通過車両のナンバープレートの番号（以下では通過車両番号とする）を認識する。ナンバープレートの番号は車両の識別情報に対応する。
【００２９】
ステップ４では、車両情報取得ユニット１５が、前記ステップ１で取得した動画データに基づき、通過車両の進行方向を認識する。通過車両の進行方向として、店舗に入場する方向と、店舗から退場する方向とがある。
【００３０】
ステップ５では、通信ユニット１７が、前記ステップ３で認識した通過車両番号と、前記ステップ４で認識した通過車両の進行方向とを、第１装置３から第２装置５に向けて送信する。第２装置５の通信ユニット３９は、通過車両番号及び通過車両の進行方向を受信する。
【００３１】
ステップ６では、進捗情報取得ユニット２９が、前記ステップ５で受信した通過車両番号と、顧客管理データベース４５とを対比することで、通過車両に対応する顧客を特定する。
【００３２】
ステップ７では、進捗情報取得ユニット２９が、前記ステップ６で特定した顧客と、作業工程管理データベース４７とを対比することで、通過車両の進捗情報を取得する。取得した進捗情報は、前記ステップ３で認識した通過車両番号に対応する車両の進捗情報である。
【００３３】
ステップ８では、前記ステップ７で取得した進捗情報は、作業が終了済みであることを表す情報であるか否かを退場判断ユニット３１が判断する。進捗情報が、作業が終了済みであることを表す情報ではない場合、本処理はステップ９に進む。進捗情報が、作業が終了済みであることを表す情報である場合、本処理はステップ１１に進む。なお、ステップ８で肯定判断することは、第２条件を充足することに対応する。
【００３４】
ステップ９では、前記ステップ５で受信した通過車両番号が滞在中リストに存在するか否かを入場判断ユニット３３が判断する。通過車両番号が滞在中リストに存在する場合、本処理はステップ１３に進み、通過車両番号が滞在中リストに存在しない場合、本処理はステップ１０に進む。
【００３５】
ステップ１０では、入場判断ユニット３３が、通過車両は店舗に入場したと判断する。そして、入場判断ユニット３３は、通過車両の行を、滞在中リストに追加する。入場判断ユニット３３は、前記ステップ６で特定した顧客に対応する情報を作業工程管理データベース４７から読み出し、追加した行に書き込む。また、店舗の従業員は、入力装置９を用いて、追加した行に情報を書き込むことができる。
【００３６】
ステップ１１では、前記ステップ５で受信した通過車両の進行方向が、店舗から退場する方向であるか否かを退場判断ユニット３１が判断する。通過車両の進行方向が、店舗から退場する方向ではない場合、本処理はステップ１３に進み、店舗から退場する方向である場合、本処理はステップ１２に進む。なお、ステップ１１で肯定判断することは、第１条件を充足することに対応する。
【００３７】
ステップ１２では、退場判断ユニット３１が、通過車両は店舗から退場したと判断する。そして、退場判断ユニット３１は、通過車両の行を滞在中リストから削除する。例えば、図４において、「お客様名」が「電装太郎」である行が、店舗から退場した通過車両の行である場合、退場判断ユニット３１は、図６に示すように、滞在中リスト４１からその行を削除する。
【００３８】
ステップ１３では、実績データ作成ユニット３７が、通過車両についての実績データを作成又は更新する。実績データとは、車両が店舗に入場してから、店舗から退場したと判断されるまでに、車両に対して行われた作業の経過を記録したデータである。
【００３９】
前記ステップ１０において通過車両は店舗に入場したと判断した場合、実績データ作成ユニット３７は、入場の時刻と、入場の時刻以降における作業の経過を記録して実績データを作成する。また、前記ステップ１２において通過車両は店舗から退場したと判断した場合、実績データ作成ユニット３７は、退場の時刻までの作業の経過と、退場の時刻とを記録して実績データを更新し、完成する。
【００４０】
前記ステップ１２において通過車両は店舗から退場したと判断した場合に更新する実績データの例を以下に示す。
入場時刻：９：５５
顧客名：電装太郎様
来店目的：オイル交換
オイル交換の開始時刻：１０：０３
オイル交換の終了時刻：１０：３３
費用の清算時刻：１０：３８
車両の引渡時刻：１０：４０
退場時刻：１０：４３
なお、この例では、「車両の引渡」が完了した時点で、作業が終了したことになる。
【００４１】
３．入退場管理装置１が実行する情報表示処理
入力装置９は、表示要求入力を受け付ける。表示要求入力は、例えば、店舗の従業員が行う。情報表示ユニット３５は、表示要求入力があった場合、図４に示すように、表示装置７を用いて滞在中リスト４１を表示する。
【００４２】
４．入退場管理装置１が奏する効果
（１Ａ）入退場管理装置１は、車両が店舗から退場したことを判断することができる。そのため、車両が店舗から退場したか否かを店舗の従業員が判断しなくてもよい。
【００４３】
（１Ｂ）入退場管理装置１は、通過車両に対応する進捗情報の内容が作業終了済みであることを必要条件として、通過車両は店舗から退場したと判断する。そのため、車両が真の退場ではない挙動をした場合に、その車両が退場したと誤判断してしまうことを抑制できる。
【００４４】
真の退場ではない挙動として、例えば、整備入庫車両が試走のために一時的に店舗の外に出ることがある。また、真の退場ではない挙動として、例えば、店舗内の駐車場が満杯のため、店舗内にある車両を、店舗外の駐車場に移動することがある。これらの真の退場ではない挙動の場合、通過車両に対応する進捗情報の内容は作業終了済みではないので、入退場管理装置１は、車両が退場したと判断しない。
【００４５】
（１Ｃ）入退場管理装置１は、滞在中リスト４１を表示装置７に表示することができる。そのため、店舗の従業員は、滞在中である車両の状態を容易に理解することができる。
（１Ｄ）入退場管理装置１は、実績データを作成する。実績データは、顧客サービスの向上を目的とした分析に活用することができる。また、実績データは、車両の入退場の履歴を含むので、実績データを用いれば、ペーパー車検等の不正行為を抑制することができる。
【００４６】
（１Ｅ）入退場管理装置１は、カメラ１９の画像を用いて通過車両番号及び通過車両の進行方向を取得する。そのため、簡易な構成により、通過車両番号及び通過車両の進行方向を取得することができる。
＜他の実施形態＞
以上、本開示の実施形態について説明したが、本開示は上述の実施形態に限定されることなく、種々変形して実施することができる。
【００４７】
（１）車両の識別情報は、ナンバープレートの数字以外のものであってもよい。車両の識別情報は、例えば、ＥＴＣ情報等であってもよい。
（２）カメラ１９以外のセンサを用いて、車両の識別情報、及び／又は、車両の進行方向を取得してもよい。
【００４８】
（３）通過車両が店舗に入場したと判断する条件は他の条件であってもよい。例えば、通過車両の進行方向が店舗に入場する方向であれば、通過車両が店舗に入場したと判断してもよい。また、通過車両の進行方向が店舗に入場する方向であり、且つ、通過車両の予約が作業工程管理データベース４７に記録されていれば、通過車両が店舗に入場したと判断してもよい。
【００４９】
（４）第１装置３と第２装置５とは一体の装置であってもよい。
（５）車両に関する作業を行う施設は、店舗以外の施設であってもよい。施設として、例えば、工場等が挙げられる。
【００５０】
（６）前記ステップ１２において、通過車両は店舗から退場したと判断した場合に入退場管理装置１が実行する処理（以下では退場処理とする）は、通過車両の行を滞在中リストから削除する処理以外の処理であってもよい。退場処理として、例えば、通過車両が店舗から退場したことを表す信号を出力する処理、音声や画像等により退場を報知する処理、退場があったことを記録する処理等が挙げられる。
【００５１】
退場処理は、例えば、通過車両が店舗から退場しことを必要条件として実行される処理である。退場処理は、例えば、通過車両が店舗から退場した場合に実行され、それ以外の場合には実行されない。
【００５２】
（７）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００５３】
（８）上述した入退場管理装置の他、当該入退場管理装置を構成要素とするシステム、当該入退場管理装置の一部としてコンピュータを機能させるためのプログラム、このプログラムを記録した半導体メモリ等の非遷移的実態的記録媒体、入退場管理方法等、種々の形態で本開示を実現することもできる。
【符号の説明】
【００５４】
１…入退場管理装置、３…第１装置、５…第２装置、７…表示装置、９…入力装置、１１…ＣＰＵ、１３…メモリ、１５…車両情報取得ユニット、１７…通信ユニット、１９…カメラ、２１…制御部、２３…来店管理データベース、２５…ＣＰＵ、２７…メモリ、２９…進捗情報取得ユニット、３１…退場判断ユニット、３３…入場判断ユニット、３５…情報表示ユニット、３７…実績データ作成ユニット、３９…通信ユニット、４１…滞在中リスト、４３…基幹システムサーバ、４５…顧客管理データベース、４７…作業工程管理データベース、４９…入力装置
【図１】
2020016991.tif 000003
【図２】
2020016991.tif 000004
【図３】
2020016991.tif 000005
【図４】
2020016991.tif 000006
【図５】
2020016991.tif 000007
【図６】
2020016991.tif 000008